(57)【要約】【課題】  本考案は、格納状態の立体写真を簡便な操作で接眼レンズに対向させうるようにして、使用状態への移行および使用後の後始末を簡便な操作で行えるようにした立体写真鑑賞器を提供することを課題とする。【解決手段】  箱体Ａの蓋部材Ｂに複数の立体写真５の下縁部を挿入保持しうる立体写真収容部６が形成されるとともに、同写真を順次鑑賞するための左右一対の接眼レンズ７を備えた折り畳み可能の可動板８が、その下縁を拘束されながら接眼レンズ７の装着部を移動可能に構成されて、立体写真５と共に箱体Ａの内部に収容可能に設けられる。【選択図】          図１
0003103681.tif 000002
【実用新案登録請求の範囲】
【請求項１】
方形の底板と、同底板の左右両側縁にそれぞれ立設された左側壁および右側壁と、上記底板の前縁に立設されて上記の左側壁および右側壁の各前縁を相互に連結する前壁とからなる箱体を備えるとともに、上記の左側壁および右側壁の各後方延長部にそれぞれ枢着されて上記箱体の上面を閉鎖しうる蓋部材を備え、上記底板の後縁に沿う位置で上記蓋部材の縁部に複数の立体写真の各下縁部を挿入保持しうる立体写真収容部が形成されるとともに、上記複数の立体写真を順次鑑賞するための左右一対の接眼レンズを備えた折り畳み可能の可動板が、その下縁を拘束されながら上記接眼レンズの装着部を移動可能に構成されて、上記複数の立体写真と共に上記箱体の内部に収容可能に設けられていることを特徴とする、立体写真鑑賞器。
【請求項２】
上記可動板が、上記立体写真収容部に沿う位置で第１の屈曲調整部を備えるとともに、上記接眼レンズの下縁に近接した位置で第２の屈曲調整部を備えていることを特徴とする、請求項１に記載の立体写真鑑賞器。
【請求項３】
上記可動板が、上記接眼レンズの下方に離隔した縁部を上記箱体の内部で同箱体の前壁に沿う位置に枢着されていることを特徴とする、請求項１に記載の立体写真鑑賞器。
【考案の詳細な説明】
【技術分野】
【０００１】
本考案は、左右一対の写真からなる立体写真を並置して接眼レンズを介し鑑賞できるようにした立体写真鑑賞器に関する。
【背景技術】
【０００２】
一般に、立体写真鑑賞器では、左右一対の立体写真を、左右一対のレンズ付き覗き穴から覗くようにして鑑賞するようになっており、折り畳み式のものも開発されている。
しかしながら、従来の立体写真鑑賞器では、商品として予め或る程度組立てておく必要があったり、使用状態への移行や使用後の後始末に手間がかかったりするほか、個人差によって使用しにくい場合もある。
【特許文献１】実開平５−８４９２５号公報
【考案の開示】
【考案が解決しようとする課題】
【０００３】
本考案は、格納状態の立体写真を簡便な操作で接眼レンズに対向させうるようにして、使用状態への移行および使用後の後始末を簡便な操作で行えるようにした立体写真鑑賞器を提供することを課題とする。
【課題を解決するための手段】
【０００４】
本考案の立体写真鑑賞器は、方形の底板と、同底板の左右両側縁にそれぞれ立設された左側壁および右側壁と、上記底板の前縁に立設されて上記の左側壁および右側壁の各前縁を相互に連結する前壁とからなる箱体を備えるとともに、上記の左側壁および右側壁の各後方延長部にそれぞれ枢着されて上記箱体の上面を閉鎖しうる蓋部材を備え、上記底板の後縁に沿う位置で上記蓋部材の縁部に複数の立体写真の各下縁部を挿入保持しうる立体写真収容部が形成されるとともに、上記複数の立体写真を順次鑑賞するための左右一対の接眼レンズを備えた折り畳み可能の可動板が、その下縁を拘束されながら上記接眼レンズの装着部を移動可能に構成されて、上記複数の立体写真と共に上記箱体の内部に収容可能に設けられていることを特徴とする。
【０００５】
また、本考案の立体写真鑑賞器は、上記可動板が、上記立体写真収容部に沿う位置で第１の屈曲調整部を備えるとともに、上記接眼レンズの下縁に近接した位置で第２の屈曲調整部を備えていることを特徴とする。
【０００６】
さらに、本考案の立体写真鑑賞器は、上記可動板が、上記接眼レンズの下方に離隔した縁部を上記箱体の内部で同箱体の前壁に沿う位置に枢着されていることを特徴とする。
【考案の効果】
【０００７】
箱体の左側壁および右側壁の各後方延長部に両側を枢着された蓋部材には、上記箱体の後縁に沿う位置に立体写真収容部が形成されているので、上記箱体を左手で支えながら右手で上記蓋部材を開くと、直ちに立体写真鑑賞の準備が整った状態となり、左右一対の接眼レンズを備えた可動板を右手の指でつまんで、上記立体写真収容部に下縁部を挿入された立体写真に対する上記接眼レンズの相対位置を調整しながら、同接眼レンズを通して立体写真の鑑賞を行うことができる。
【０００８】
そして、上記可動板が、上記立体写真収容部に沿う位置で第１の屈曲調整部を備えるとともに、上記接眼レンズの下縁に近接した位置で第２の屈曲調整部を備えていると、同可動板における接眼レンズの立体写真に対する位置調整の範囲が広くなるので、上記可動板の操作だけで焦点合わせを容易に行える利点が得られる。
【０００９】
また、上記可動板が、上記接眼レンズの下方に離隔した縁部を上記箱体の内部で同箱体の前壁に沿う位置に枢着されている場合は、上記蓋部材に保持された立体写真に対し、上記の箱体と可動板との協働作用で接眼レンズの位置調整が行われ、使用後の上記可動板の折り畳み格納が著しく簡便化されるようになる。
【考案を実施するための最良の形態】
【００１０】
本考案の立体写真鑑賞器における箱体および蓋部材としては、プラスチック製のものが好ましいが、この種の容器としては、デジタルビデオディスク（ＤＶＤ）の容器など既存のものを利用することができる。
そして、前記可動板としては厚紙製のものを用いることができる。
【実施例】
【００１１】
図１は本考案の実施例１としての立体写真鑑賞器の使用状態を示す斜視図である。
図１に示すように、方形の底板１と、同底板１の左右両側縁にそれぞれ立設された左側壁２および右側壁３と、底板１の前縁に立設されて左側壁２および右側壁３の各前縁を相互に連結する前壁４とからなる箱体Ａを備えるとともに、左側壁２および右側壁３の各後方延長部２ａ，３ａに支軸２ｂ，３ｂでそれぞれ枢着されて箱体Ａの上面を閉鎖しうる蓋部材Ｂを備え、底板１の後縁に沿う位置で蓋部材Ｂの縁部に複数の立体写真５を重ねてその下縁部を挿入保持しうる立体写真収容部６が形成されている。
【００１２】
そして、複数の立体写真５を順次鑑賞するための左右一対の接眼レンズ７を備えた折り畳み可能の可動板８が、その下縁を拘束されながらその接眼レンズ７の装着部を移動可能に構成されている。
このようにして、蓋部材Ｂは、複数の立体写真５と共に箱体Ａの内部にやや入り込むようにして、同箱体Ａの開口を閉じるように構成されている。
【００１３】
また、可動板８は、立体写真収容部６に沿う位置で第１の屈曲調整部８ａを備えるとともに、接眼レンズ７の下縁に近接した位置で第２の屈曲調整部８ｂを備えている。
【００１４】
上述の実施例１では、箱体Ａの左側壁２および右側壁３の各後方延長部２ａ，３ａに両側を枢着された蓋部材Ｂには、箱体Ａの後縁に沿う位置に立体写真収容部６が形成されているので、箱体Ａを左手Ｈで支えながら右手で蓋部材Ｂを開くと、直ちに立体写真鑑賞の準備が整った状態となり、左右一対の接眼レンズ７を備えた可動板８を右手の指Ｆでつまんで、立体写真収容部６に下縁部を挿入された立体写真５に対する接眼レンズ７の相対位置を調整しながら、同接眼レンズ７を通して立体写真５の鑑賞を行うことができる。
【００１５】
また、可動板８が、立体写真収容部６に沿う位置で第１の屈曲調整部８ａを備えるとともに、接眼レンズ７の下縁に近接した位置で第２の屈曲調整部８ｂを備えているので、同可動板８における接眼レンズ７の立体写真５に対する位置調整の範囲が広くなり、これにより、可動板８の操作だけで焦点合わせを容易に行える利点が得られる。
【００１６】
なお、この実施例１では、蓋部材Ｂを図１に示す姿勢に保持したまま、箱体Ａを支軸２ｂ，３ｂのまわりに下方へ旋回させるようにして後方位置Ａ’まで旋回させると、底板１の後縁１ａがストッパーとなって箱体Ａを停止できるので、この状態のまま卓上に載置して、接眼レンズ７の位置を可動板８の操作により調整しながら、立体写真５の鑑賞を楽しむこともできる。
【００１７】
次に本考案の実施例２としての立体写真鑑賞器について説明すると、図２はその使用状態を示す斜視図である。
図２に示すように、この実施例２の場合も、方形の底板１と、同底板１の左右の両側縁にそれぞれ立設された左側壁２および右側壁３と、底板１の前縁に立設されて左側壁２および右側壁３の各前縁を相互に連結する前壁４とからなる箱体Ａを備えるとともに、左側壁２および右側壁３の各後方延長部２ａ，３ａに支軸２ｂ，３ｂでそれぞれ枢着されて箱体Ａの上面を閉鎖しうる蓋部材Ｂを備え、底板１の後縁に沿う位置で蓋部材Ｂの縁部に複数の立体写真５を重ねて下縁部を挿入保持しうる立体写真収容部６が形成されている。
【００１８】
そして、上記複数の立体写真５を順次鑑賞するための左右一対の接眼レンズ７を備えた折り畳み可能の可動板８Ａが、その下縁を拘束されながらその接眼レンズ７の装着部を移動可能に構成されている。
このようにして、蓋部材Ｂは、複数の立体写真５と共に箱体Ａの内部に入り込むようにして、同箱体Ａの開口を閉じるように構成されている。
【００１９】
ところで、この実施例２では、可動板８Ａが、接眼レンズ７の下方に離隔した縁部８ｃを、箱体Ａの内部の底板１上に、同箱体Ａの前壁４に沿う位置で枢着されている。
【００２０】
上述の実施例２の場合も、箱体Ａの左側壁２および右側壁３の各後方延長部２ａ，３ａに両側を枢着された蓋部材Ｂには、箱体Ａの後縁に沿う位置に立体写真収容部６が形成されているので、箱体Ａを左手Ｈで支えながら右手で蓋部材Ｂを開くと、直ちに立体写真鑑賞の準備が整った状態となり、左右一対の接眼レンズ７を備えた可動板８Ａを右手の指Ｆでつまんで、立体写真収容部６に下縁部を挿入された立体写真５に対する接眼レンズ７の相対位置を調整しながら、同接眼レンズ７を通して立体写真５の鑑賞を行うことができる。
【００２１】
また、可動板８Ａが、接眼レンズ７の下方に離隔した縁部８ｃを箱体Ａの内部で同箱体Ａの前壁４に沿う位置に枢着されているので、蓋部材Ｂに保持された立体写真５に対し、箱体Ａと可動板８Ａとの協働作用で接眼レンズ７の位置調整が行われ、使用後の可動板８Ａの折り畳み格納が著しく簡便化されるようになる。
【産業上の利用可能性】
【００２２】
本考案の立体写真鑑賞器は、コンパクトなサイズで立体写真の鑑賞を手軽に行えるものであるが、サイズをやや大きくして美術館に陳列された作品や博物館の展示物などの立体写真を見栄えのよい状態で鑑賞できるようにすることも可能であり、観覧後の土産品として利用することができる。
【図面の簡単な説明】
【００２３】
【図１】本考案の実施例１の立体写真鑑賞器の使用状態を示す斜視図である。
【図２】本考案の実施例２の立体写真鑑賞器の使用状態を示す斜視図である。
【符号の説明】
【００２４】
１  底板
１ａ  底板後縁
２  左側壁
２ａ  後方延長部
２ｂ  支軸
３  右側壁
３ａ  後方延長部
３ｂ  支軸
４  前壁
５  立体写真
６  立体写真収容部
７  接眼レンズ
８  可動板
８ａ  第１の屈曲調整部
８ｂ  第２の屈曲調整部
８Ａ  可動板
８ｃ  可動板縁部
Ａ  箱体
Ｂ  蓋部材
Ｆ  右手の指
Ｈ  左手
【図１】
0003103681.tif 000003
【図２】
0003103681.tif 000004